(57)【要約】【課題】衛生洗浄装置の待機中において消費される電力を低減する。【解決手段】衛生洗浄装置が、リモコン部（１０）から赤外線を受光する受光部（２２）と、リモコン部（１０）から電波を受信する受信部（２４）と、予め定められた条件を満たしたか否か判定する判定部（２６）と、受信部（２４）が動作している状態において、判定部（２６）が肯定判定したときに受信部（２４）の動作を停止させる動作制御部（２８）と、を備える。【選択図】  図２
2016056663.tif 000002
【特許請求の範囲】
【請求項１】
リモコン部から赤外線を受光する受光部と、
前記リモコン部から電波を受信する受信部と、
予め定められた条件を満たしたか否か判定する判定部と、
前記受信部が動作している状態において、前記判定部が肯定判定したときに前記受信部の動作を停止させる動作制御部と、
を備える衛生洗浄装置。
【請求項２】
前記リモコン部は、前記赤外線を送信する第１リモコン装置と、前記電波を送信する第２リモコン装置とを含み、
前記判定部は、前記条件として、前記リモコン部と前記衛生洗浄装置とのペアリング時の条件を用いる、
請求項１に記載の衛生洗浄装置。
【請求項３】
前記判定部は、前記判定に際し、前記衛生洗浄装置において前記第１リモコン装置と前記ペアリングが行われたか否か判定する、
請求項２に記載の衛生洗浄装置。
【請求項４】
前記判定部は、前記判定に際し、前記衛生洗浄装置において前記第２リモコン装置とペアリングするペアリングモードに移行した後、前記第２リモコン装置からペアリング信号を予め定められた時間に前記受信部が受信しないか否か判定する、
請求項２又は請求項３に記載の衛生洗浄装置。
【請求項５】
前記動作制御部は、前記受信部の動作が停止しているときに復帰信号の入力があると、前記受信部の動作を復帰させる、
請求項１乃至請求項４の何れか１項に記載の衛生洗浄装置。
【請求項６】
停止ボタンをさらに備え、
前記動作制御部は、前記停止ボタンが選択された場合に前記受信部の動作を停止させる、
請求項１乃至請求項５の何れか１項に記載の衛生洗浄装置。
【請求項７】
請求項１乃至請求項６の何れか１項に記載の衛生洗浄装置と、
赤外線を送信する第１リモコン装置と、
電波を送信する第２リモコン装置と、
を備えるトイレシステム。
【請求項８】
赤外線を受光する受光部、及び、電波を受信する受信部、を有する衛生洗浄装置と、
前記衛生洗浄装置に赤外線及び電波を送信する送信部、及び、予め定められた条件を満たしたか否か判定する判定部、を有するリモコン部と、
を備え、
前記送信部は、前記判定部が肯定判定したときに前記衛生洗浄装置に前記受信部の動作を停止させる信号を送信し、
前記衛生洗浄装置は、前記受信部が動作している状態において前記信号を受信すると、前記受信部の動作を停止させる、
トイレシステム。
【発明の詳細な説明】
【技術分野】
【０００１】
本発明は、衛生洗浄装置及びトイレシステムに関する。
【背景技術】
【０００２】
従来から、赤外線と電波の両方を受信可能な衛生洗浄装置が知られている（例えば特許文献１参照。）。
【先行技術文献】
【特許文献】
【０００３】
【特許文献１】特開２００２−０８４３４６号公報
【発明の概要】
【発明が解決しようとする課題】
【０００４】
しかしながら、特許文献１に記載の衛生洗浄装置において、衛生洗浄装置の待機中において電波を受信する受信部が継続的に動作していると、電力の消費が多くなってしまう。
【０００５】
そこで、本発明は、上述した課題を解決するためになされたものであり、衛生洗浄装置の待機中において消費される電力を低減することができる衛生洗浄装置及びトイレシステムを提供することを目的の一つとしている。
【課題を解決するための手段】
【０００６】
本発明の第１態様に係る衛生洗浄装置は、リモコン部から赤外線を受光する受光部と、前記リモコン部から電波を受信する受信部と、予め定められた条件を満たしたか否か判定する判定部と、前記受信部が動作している状態において、前記判定部が肯定判定したときに前記受信部の動作を停止させる動作制御部と、を備える。
【０００７】
この構成によれば、動作制御部は、判定部が肯定判定したときに受光部よりも消費電力が多大な受信部の動作を停止させるので、衛生洗浄装置の待機中において受信部の動作が継続することにより消費される電力を低減することができる。なお、上記「肯定判定」を「否定判定」と読み替えてもよい。
【０００８】
本発明の第２態様に係る衛生洗浄装置では、第１態様において、前記リモコン部は、前記赤外線を送信する第１リモコン装置と、前記電波を送信する第２リモコン装置とを含み、前記判定部は、前記条件として、前記リモコン部と前記衛生洗浄装置とのペアリング時の条件を用いる。
【０００９】
この構成によれば、受信部の動作を停止させる条件として、リモコン部と衛生洗浄装置とのペアリング時の条件を用いることで、衛生洗浄装置の設置直後に、動作制御部が受信部の動作を停止させることができ、衛生洗浄装置の消費電力をより低減できる。
【００１０】
本発明の第３態様に係る衛生洗浄装置では、第２態様において、前記判定部は、前記判定に際し、前記衛生洗浄装置において前記第１リモコン装置と前記ペアリングが行われたか否か判定する。
【００１１】
この構成によれば、判定部は衛生洗浄装置において第１リモコン装置とペアリングが行われたか否か判定するので、判定部が肯定判定した場合、第２リモコン装置から電波を受信しない可能性が高くなる。この場合に、受信部の動作を停止させるので、衛生洗浄装置の消費電力をより低減できる。
【００１２】
本発明の第４態様に係る衛生洗浄装置では、第２態様又は第３態様において、前記判定部は、前記判定に際し、前記衛生洗浄装置において前記第２リモコン装置とペアリングするペアリングモードに移行した後、前記第２リモコン装置からペアリング信号を予め定められた時間に前記受信部が受信しないか否か判定する。
【００１３】
この構成によれば、判定部は衛生洗浄装置において第２リモコン装置とペアリングするペアリングモードに移行した後、第２リモコン装置からペアリング信号を予め定められた時間に受信部が受信しないか否か判定するので、判定部が肯定判定した場合、第２リモコン装置から電波を受信しない可能性が高くなる。この場合に、受信部の動作を停止させるので、衛生洗浄装置の消費電力をより低減できる。
【００１４】
本発明の第５態様に係る衛生洗浄装置では、第１態様乃至第４態様の何れか１つの態様において、前記動作制御部は、前記受信部の動作が停止しているときに復帰信号の入力があると、前記受信部の動作を復帰させる。
【００１５】
この構成によれば、動作制御部が受信部の動作を停止させても、復帰信号を入力することにより動作制御部が受信部の動作を復帰させるので、適宜必要なときに第２リモコン装置を使用することができる。
【００１６】
本発明の第６態様に係る衛生洗浄装置では、第１態様乃至第５態様の何れか１つの態様において、停止ボタンをさらに備え、前記動作制御部は、前記停止ボタンが選択された場合に前記受信部の動作を停止させる。
【００１７】
この構成によれば、動作制御部は、停止ボタンが選択された場合に受信部の動作を停止させるので、手動により受信部の動作を停止させることができる。
【００１８】
本発明の第７態様に係るトイレシステムは、第１態様乃至第６態様の何れか１つの態様の衛生洗浄装置と、赤外線を送信する第１リモコン装置と、電波を送信する第２リモコン装置と、を備える。
【００１９】
この構成によれば、動作制御部は、判定部が肯定判定した場合には受光部よりも消費電力が多大な受信部の動作を停止させるので、衛生洗浄装置の待機中において受信部の動作が継続することにより消費される電力を低減することができる。
【００２０】
本発明の第８態様に係るトイレシステムでは、赤外線を受光する受光部、及び、電波を受信する受信部、を有する衛生洗浄装置と、前記衛生洗浄装置に赤外線及び電波を送信する送信部、及び、予め定められた条件を満たしたか否か判定する判定部、を有するリモコン部と、を備え、前記送信部は、前記判定部が肯定判定したときに前記衛生洗浄装置に前記受信部の動作を停止させる信号を送信し、前記衛生洗浄装置は、前記受信部が動作している状態において前記信号を受信すると、前記受信部の動作を停止させる。
【００２１】
この構成によれば、送信部は、判定部が肯定判定したときに受光部よりも消費電力が多大な受信部の動作を停止させるので、衛生洗浄装置の待機中において受信部の動作が継続することにより消費される電力を低減することができる。なお、上記「肯定判定」を「否定判定」と読み替えてもよい。
【発明の効果】
【００２２】
本発明の衛生洗浄装置及びトイレシステムによれば、衛生洗浄装置の待機中において消費される電力を低減することができる。
【図面の簡単な説明】
【００２３】
【図１】本発明の第１実施形態に係るトイレシステムの概略斜視図である。
【図２】本発明の第１実施形態に係るトイレシステムの機能構成を概略的に示す機能ブロック図である。
【図３】本発明の第１実施形態に係るトイレシステムにおいて、機能部が一例として行う処理のフローチャートである。
【図４】本発明の第２実施形態に係るトイレシステムにおいて、機能部が一例として行う処理のフローチャートである。
【図５】本発明の第３実施形態に係るトイレシステムにおいて、機能部が一例として行う処理のフローチャートである。
【図６】図２に示すトイレシステムの機能構成の変形例を概略的に示す機能ブロック図である。
【発明を実施するための形態】
【００２４】
以下、添付図面を参照しながら本発明の複数の実施形態について説明する。理解を容易にするため、各図面において同一の構成要素に対しては可能な限り同一の符号を付し、重複する説明は省略する。
【００２５】
＜第１実施形態＞
図１は、本発明の第１実施形態に係るトイレシステムＳの概略斜視図である。
【００２６】
図１に示すように、本発明の実施形態に係るトイレシステムＳは、衛生洗浄装置としての局部洗浄装置ＷＡと、第１リモコン装置としての赤外線リモコンＲ１と、第２リモコン装置としての電波リモコンＲ２と、を備えている。
【００２７】
局部洗浄装置ＷＡは、大便器ＣＢに載せて使用されるものである。この局部洗浄装置ＷＡは、本体部ＷＡａと、便座ＷＡｂと、便蓋ＷＡｃと、を備えている。
【００２８】
本体部ＷＡａは、ノズルＮＺを有しており、ノズルＮＺを進退自在に保持している。本体部ＷＡａは、便座ＷＡｂ及び便蓋ＷＡｃを回動自在に保持している。
【００２９】
使用者は使用時に、便蓋ＷＡｃを上方に回動させ、便座ＷＡｂを露出させる。使用者は便座ＷＡｂに着座して用便をした後、リモコンＲ１又はＲ２を操作してノズルＮＺに形成された吐出口ＮＺａから吐水させ、自身の局部を洗浄する。使用者は局部洗浄後、リモコンＲ１又はＲ２を操作して吐出口ＮＺａからの吐水ＪＷを停止する。その後使用者は、リモコンＲ１又はＲ２を操作して大便器ＣＢに洗浄水を流す。
【００３０】
赤外線リモコンＲ１は、局部洗浄装置ＷＡを赤外線Ｗ１で遠隔操作するためのものである。赤外線リモコンＲ１は、例えば複数のスイッチを有し、スイッチの押圧操作に応じて、自身が記憶しているＩＤを含む制御信号を赤外線Ｗ１で送信する。
【００３１】
電波リモコンＲ２は、局部洗浄装置ＷＡを電波Ｗ２で遠隔操作するためのものである。電波リモコンＲ２は、例えば複数のスイッチを有し、スイッチの押圧操作に応じて、自身が記憶しているＩＤを含む制御信号を電波Ｗ２で送信する。このＩＤは、固有ＩＤであり、赤外線リモコンＲ１のＩＤや他の電波リモコンのＩＤとも異なっている。
【００３２】
なお、電波リモコンＲ２のスイッチの数は、特に限定されないが、本実施形態では赤外線リモコンＲ１のスイッチの数よりも少ない。また、電波リモコンＲ２の各スイッチと同様のスイッチが、赤外線リモコンＲ１に設けられており、電波リモコンＲ２を停止したとしても、赤外線リモコンＲ１のスイッチで、電波リモコンＲ２と同様の遠隔操作が可能となっている。
【００３３】
図２は、本発明の第１実施形態に係るトイレシステムＳの機能構成を概略的に示す機能ブロック図である。
【００３４】
トイレシステムＳは、リモコン部１０と、局部洗浄装置ＷＡの機能部２０と、を備えている。
【００３５】
リモコン部１０は、局部洗浄装置ＷＡに赤外線Ｗ１及び電波Ｗ２を送信する。リモコン部１０は、１つのリモコン装置で構成されてもよいし、複数のリモコン装置で構成されてもよい。本実施形態では、リモコン部１０は、赤外線リモコンＲ１と、電波リモコン装置Ｒ２で構成されている。
【００３６】
機能部２０は、受光部２２と、受信部２４と、判定部２６と、動作制御部２８と、を備える。
【００３７】
受光部２２は、リモコン部１０から赤外線Ｗ１を受光する。本実施形態では、赤外線リモコンＲ１から赤外線Ｗ１を受光する。
【００３８】
受信部２４は、リモコン部１０から電波Ｗ２を受信する。本実施形態では、電波リモコンＲ２から電波Ｗ２を受信する。なお、受光部２２における赤外線Ｗ１の受光時の消費電流に対し、受信部２４における電波Ｗ２の受信時の消費電流は一般的に数万倍であるため、受光部２２よりも受信部２４の方が、消費電力が多大であると言える。
【００３９】
判定部２６及び動作制御部２８は、ＣＰＵ（Central Processing Unit）、メモリ、及びプログラムを含んで構成され、ＣＰＵがメモリを用いながらプログラムを読み込むことにより実現される。無論、判定部２６及び動作制御部２８は、プログラムと回路の組み合わせ、或いは、回路のみの構成であってもよい。
【００４０】
判定部２６は、予め定められた条件を満たしたか否か判定する。なお、「予め定められた条件」とは、例えば、使用者が局部洗浄装置ＷＡに設けられる不図示の停止ボタンを押したという条件や、リモコン部１０と局部洗浄装置ＷＡとのペアリング時の条件等が挙げられる。本実施形態では、ペアリング時の条件を例に挙げて後述する。また、「ペアリング」とは、リモコン部１０と局部洗浄装置ＷＡとを結びつけることを指す。すなわち、局部洗浄装置ＷＡが受け付けるリモコン部１０のリモコン装置を限定（設定）することを指す。
【００４１】
動作制御部２８は、受信部２４が動作している状態において、判定部２６の判定結果に応じて、受信部２４の動作を停止させる。第１実施形態では、動作制御部２８は、受信部２４が動作している状態において、肯定判定したときに受信部２４の動作を停止させる。なお、判定部２６が否定判定した場合には、動作制御部２８は、例えば特に何も処理せず、受信部２４の動作は継続する。
【００４２】
図３は、本発明の第１実施形態に係るトイレシステムＳにおいて、機能部２０が一例として行う処理のフローチャートである。なお、図３に示す処理は、０．１秒間隔毎や１秒間隔毎等の定期的に開始される。また、ランダムに開始されてもよい。また、受光部２２と受信部２４は、動作中であるものとする。
【００４３】
（ステップＳＰ１０）
機能部２０の判定部２６は、局部洗浄装置ＷＡのモードがペアリングモードであるか否か判定する。そして、判定部２６は、肯定判定した場合にはステップＳＰ１２の処理に移行し、否定判定した場合にはステップＳＰ１０の処理に戻る。
【００４４】
なお、「ペアリングモード」とは、局部洗浄装置ＷＡがリモコン部１０とペアリング可能な状態にあることを言う。このペアリングモードは、予め定められた条件、例えば電源部（不図示）の電源供給に関する条件や、人体検知部の検知結果と着座検知部の検知結果の少なくとも一方に関する条件、リモコン部１０からの制御信号の内容に基づく条件等を満たした場合に移行される。具体的には、局部洗浄装置ＷＡは、局部洗浄装置ＷＡの電源プラグがコンセントに挿入された後例えば１分間だけペアリングモードとなる。他にも、リモコン部１０のスイッチが複数回押圧操作されることでもペアリングモードとなってもよい。
【００４５】
（ステップＳＰ１２）
判定部２６は、ペアリングモードの期間内に、赤外線リモコンＲ１のＩＤを含むペアリング信号を受光部２２で受光したか否か判定する。すなわち、判定部２６は、赤外線リモコンＲ１から制御信号としてペアリング信号を赤外線Ｗ１で受光したか否か判定する。そして、判定部２６は、肯定判定した場合にはステップＳＰ１６の処理に移行し、否定判定した場合にはステップＳＰ１４の処理に移行する。なお、赤外線リモコンＲ１からペアリング信号を送信する場合には、例えば所定のスイッチを複数回押圧操作する。無論、赤外線リモコンＲ１からペアリング信号を送信するには、赤外線リモコンＲ１にペアリング信号送信用のスイッチが設けられ、当該スイッチを１回押圧操作するようにしてもよいし、複数のスイッチを押圧操作するようにしてもよい。
【００４６】
（ステップＳＰ１４）
判定部２６は、機能部２０の動作制御部２８に処理を渡す。動作制御部２８は、受信部２４の動作を継続する。本実施形態では、動作制御部２８は、特別な処理は行わず、単に図３に示す全体の処理を終える。
【００４７】
（ステップＳＰ１６）
判定部２６は、局部洗浄装置ＷＡがペアリング信号に基づき赤外線リモコンＲ１のＩＤを記憶できたか否か判定する。判定部２６は、肯定判定した場合にはステップＳＰ１８の処理に移行し、否定判定した場合にはステップＳＰ１２の処理に戻る。なお、ＩＤを記憶できない場合とは、例えばペアリング信号に誤りがある場合等が考えられる。
【００４８】
（ステップＳＰ１８）
判定部２６は、機能部２０の動作制御部２８に処理を渡す。動作制御部２８は、受信部２４の動作を停止する。そして、動作制御部２８は、図３に示す全体の処理を終える。
【００４９】
以上、本発明の第１実施形態に係るトイレシステムＳ、特に局部洗浄装置ＷＡによれば、動作制御部２８は、判定部２６が肯定判定した場合（第１実施形態では２回肯定判定）には受光部２２よりも消費電力が多大な受信部２４の動作を停止させるので、局部洗浄装置ＷＡの待機中において受信部２４の動作が継続することにより消費される電力を低減することができる。
【００５０】
また、局部洗浄装置ＷＡによれば、判定部２６は局部洗浄装置ＷＡが赤外線リモコンＲ１とペアリングが行われたか否か判定することになるので（ステップＳＰ１６参照。）、判定部２６が肯定判定した場合、電波リモコンＲ２から電波Ｗ２を受信しない可能性が高くなる。この場合に、受信部２４の動作を停止させるので、局部洗浄装置ＷＡの消費電力をより低減できる。
【００５１】
＜第２実施形態＞
次に、本発明の第２実施形態に係る局部洗浄装置について説明する。第１実施形態では、局部洗浄装置ＷＡが赤外線リモコンＲ１とのペアリング時に受信部２４の停止判定が行われたが、第２実施形態では、局部洗浄装置ＷＡが電波リモコンＲ２とのペアリング時に受信部２４の停止判定が行われる点で第１実施形態と異なる。
【００５２】
第２実施形態に係る局部洗浄装置の構成は、第１実施形態に係る局部洗浄装置ＷＡの構成と同じである。
【００５３】
図４は、本発明の第２実施形態に係るトイレシステムにおいて、機能部２０が一例として行う処理のフローチャートである。なお、図３に示す処理は、０．１秒間隔毎や１秒間隔毎等の定期的に開始される。また、ランダムに開始されてもよい。また、受光部２２と受信部２４は、動作中であるものとする。
【００５４】
（ステップＳＰ２０）
機能部２０の判定部２６は、局部洗浄装置ＷＡのモードがペアリングモードであるか否か判定する。そして、判定部２６は、肯定判定した場合にはステップＳＰ２２の処理に移行し、否定判定した場合にはステップＳＰ２０の処理に戻る。
【００５５】
（ステップＳＰ２２）
判定部２６は、ペアリングモードの期間内に、電波リモコンＲ２のＩＤを含むペアリング信号を受信部２４で受信したか否か判定する。すなわち、判定部２６は、電波リモコンＲ２から制御信号としてペアリング信号を電波Ｗ２で受信したか否か判定する。そして、判定部２６は、肯定判定した場合にはステップＳＰ２６の処理に移行し、否定判定した場合にはステップＳＰ２４の処理に移行する。なお、電波リモコンＲ２からペアリング信号を送信する場合には、例えば所定のスイッチを複数回押圧操作する。無論、電波リモコンＲ２からペアリング信号を送信するには、電波リモコンＲ２にペアリング信号送信用のスイッチが設けられ、当該スイッチを１回押圧操作するようにしてもよいし、複数のスイッチを押圧操作するようにしてもよい。
【００５６】
（ステップＳＰ２４）
判定部２６は、機能部２０の動作制御部２８に処理を渡す。動作制御部２８は、受信部２４の動作を停止する。そして、動作制御部２８は、図４に示す全体の処理を終える。
【００５７】
（ステップＳＰ２６）
判定部２６は、局部洗浄装置ＷＡがペアリング信号に基づき電波リモコンＲ２のＩＤを記憶できたか否か判定する。そして、判定部２６は、肯定判定した場合にはステップＳＰ２８の処理に移行し、否定判定した場合にはステップＳＰ２２の処理に戻る。なお、ＩＤを記憶できない場合とは、例えばペアリング信号に誤りがある場合等が考えられる。
【００５８】
（ステップＳＰ２８）
判定部２６は、機能部２０の動作制御部２８に処理を渡す。動作制御部２８は、受信部２４の動作を継続する。本実施形態では、動作制御部２８は、特別な処理は行わず、単に図４に示す全体の処理を終える。
【００５９】
以上、本発明の第２実施形態に係るトイレシステム、特に局部洗浄装置によれば、動作制御部２８は、判定部２６が肯定判定した場合（ステップＳＰ２２では否定判定であるが、単なる条件の設定の仕方の問題であり、条件の設定を逆にすれば、否定判定を「肯定判定」と読み替えることができる。）には受光部２２よりも消費電力が多大な受信部２４の動作を停止させるので、局部洗浄装置ＷＡの待機中において受信部２４の動作が継続することにより消費される電力を低減することができる。
【００６０】
また、局部洗浄装置ＷＡによれば、判定部２６は局部洗浄装置ＷＡが電波リモコンＲ２とペアリングするペアリングモードに移行した後、電波リモコンＲ２からペアリング信号を予め定められた時間に受信部が受信しないか否か判定するので（ステップＳＰ２２参照。）、ＩＤを受信しない場合、電波リモコンＲ２から電波Ｗ２を受信しない可能性が高くなる。この場合に、受信部２４の動作を停止させるので、局部洗浄装置ＷＡの消費電力をより低減できる。
【００６１】
＜第３実施形態＞
次に、本発明の第３実施形態に係る局部洗浄装置について説明する。第１及び第２実施形態では、動作制御部２８が受信部２４の停止を行ったが、第３実施形態では、この停止の後に受信部２４の動作の復帰を行う点で第１及び第２実施形態と異なる。
【００６２】
第３実施形態に係る局部洗浄装置の構成は、第１実施形態に係る局部洗浄装置ＷＡの構成と同じである。
【００６３】
図５は、本発明の第３実施形態に係るトイレシステムにおいて、機能部２０が一例として行う処理のフローチャートである。なお、図５に示す処理は、０．１秒間隔毎や１秒間隔毎等の定期的に開始される。また、ランダムに開始されてもよい。また、少なくとも、受信部２４の動作が停止しているものとする。
【００６４】
（ステップＳＰ３０）
機能部２０の判定部２６は、復帰信号の入力があるか否か判定する。そして、判定部２６は、肯定判定した場合にはステップＳＰ３２の処理に移行し、否定判定した場合にはステップＳＰ３０の処理に戻る。なお、復帰信号の入力は、受光部２２が受光する赤外線リモコンＲ１からの入力であってもよいし、局部洗浄装置に設ける不図示の復帰スイッチの押圧による入力であってもよい。
【００６５】
（ステップＳＰ３２）
判定部２６は、動作制御部２８に処理を渡す。動作制御部２８は、受信部２４の動作を復帰させる。そして、判定部２６は、図５に示す全体の処理を終える。
【００６６】
以上、本発明の第３実施形態に係る局部洗浄装置によれば、動作制御部２８が受信部２４の動作を停止させても、復帰信号を入力することにより動作制御部２８が受信部２４の動作を復帰させるので、適宜必要なときに電波リモコンＲ２を使用することができる。
【００６７】
＜変形例＞
以上、本願の開示する技術の実施形態について説明したが、本願の開示する技術は、上記に限定されるものではない。
【００６８】
例えば、第１実施形態において、局部洗浄装置ＷＡは、図示しない停止ボタンをさらに備え、動作制御部２８は、停止ボタンが選択された場合にも受信部２４の動作を停止させるようにしてもよい。また、ペアリングモード時の判定を省略して、停止ボタンが選択された場合に受信部２４の動作を停止させるようにしてもよい。この構成によれば、動作制御部２８は、停止ボタンが選択された場合に受信部２４の動作を停止させるので、手動により受信部２４の動作を停止させることができる。
【００６９】
また、図３に示すステップＳＰ１６や図４に示すステップＳＰ２６は、省略してもよい。
【００７０】
また、第１実施形態〜第３実施形態では、判定部２６と、動作制御部２８と、が局部洗浄装置ＷＡに設けられる場合を説明したが、少なくとも判定部２６は、リモコン部１０に設けるようにしてもよい。
【００７１】
上記の一例としては、図６に示すように、トイレシステムＳ１が、赤外線Ｗ１を受光する受光部２２、及び、電波Ｗ２を受信する受信部２４、を有する局部洗浄装置ＷＡ１と、局部洗浄装置ＷＡ１に赤外線Ｗ１及び電波Ｗ２を送信する動作制御部としての送信部２８Ａ、及び、予め定められた条件を満たしたか否か判定する判定部２６Ａ、を有するリモコン部１０Ａと、を備える。そして、送信部２８Ａは、受信部２４が動作している状態において判定部２６Ａが肯定判定した場合には局部洗浄装置ＷＡ１に受信部２４の動作を停止させる信号を送信し、判定部２６Ａが否定判定した場合には受信部２４の動作を継続させ、局部洗浄装置ＷＡ１は、上記信号を受信すると、受信部２４の動作を停止させる。なお、上記「予め定められた条件」とは、例えば、停止用のスイッチが１回押圧操作されたかという条件や、所定のスイッチが複数回押圧操作されたかという条件等がある。
【００７２】
前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０、１０Ａ…リモコン部
２２…受光部
２４…受信部
２６、２６Ａ…判定部
２８…動作制御部
２８Ａ…送信部
Ｒ１…赤外線リモコン（第１リモコン装置）
Ｒ２…電波リモコン（第２リモコン装置）
Ｓ、Ｓ１…トイレシステム
Ｗ１…赤外線
Ｗ２…電波
ＷＡ、Ｗ１…局部洗浄装置（衛生洗浄装置）
【図２】
2016056663.tif 000003
【図３】
2016056663.tif 000004
【図４】
2016056663.tif 000005
【図５】
2016056663.tif 000006
【図６】
2016056663.tif 000007
【図１】
2016056663.tif 000008